(57)【要約】【課題】画像の表示が停止した状態において、ユーザを困惑させることなく画像の表示を再開させることが可能な画像表示装置、及びその制御方法を提供する。【解決手段】スタンバイ状態でミュートキーが操作されると、制御部２０は、記憶部２１から要因情報を読み出し、この要因情報が自動オフ情報であるか否かを判断する。この結果、要因情報が自動オフ情報である場合、即ち、前回のオン状態において画像ミュート状態が所定時間継続したためにスタンバイ状態に移行した場合には、制御部２０は、プロジェクタ１をオン状態に移行させ、光源１１を点灯させる等の必要な初期動作を行って、入力画像を表示させる。一方、読み出した要因情報が自動オフ情報でない場合には、制御部２０は、プロジェクタ１をスタンバイ状態に維持したまま処理を終了する。【選択図】図１
2009042341.tif 000002
【特許請求の範囲】
【請求項１】
光源から射出される光を変調して形成した画像を表示する表示部と、
前記表示部の表示状態を、前記光源を点灯させたまま前記画像の表示を停止させた画像ミュート状態に移行させる第１の表示停止部と、
前記画像ミュート状態において前記画像の表示を再開させるための指示を受け付ける入力操作部と、
前記画像ミュート状態において前記入力操作部が前記指示を受け付けた場合に、前記画像の表示を再開させる第１の表示復帰部と、
前記画像ミュート状態に移行してから所定時間が経過した場合に、前記光源を消灯させる第２の表示停止部と、
前記第２の表示停止部が前記光源を消灯させた状態で前記入力操作部が前記指示を受け付けた場合に、前記光源を点灯させて前記画像の表示を再開させる第２の表示復帰部と、
を備えたことを特徴とする画像表示装置。
【請求項２】
請求項１に記載の画像表示装置であって、
前記第２の表示停止部は、前記光源を消灯させるとともに当該画像表示装置の動作状態をスタンバイ状態に移行させ、前記第２の表示復帰部は、前記光源を点灯させるとともに前記動作状態をオン状態に移行させることを特徴とする画像表示装置。
【請求項３】
請求項２に記載の画像表示装置であって、
情報を記憶する記憶部をさらに備え、
前記第２の表示停止部は、前記動作状態を前記スタンバイ状態に移行させる際に、前記画像ミュート状態に移行してから所定時間が経過したことに基づいて前記スタンバイ状態に移行させる旨を表す自動オフ情報を前記記憶部に記憶させ、前記第２の表示復帰部は、前記記憶部に前記自動オフ情報が記憶されている場合に前記オン状態に移行させることを特徴とする画像表示装置。
【請求項４】
光源から射出される光を変調して形成した画像を表示する画像表示装置の制御方法であって、
前記画像表示装置の表示状態を、前記光源を点灯させたまま前記画像の表示を停止させた画像ミュート状態に移行させるステップと、
前記画像ミュート状態において前記画像の表示を再開させるための指示を受け付けるステップと、
前記画像ミュート状態において前記指示を受け付けた場合に、前記画像の表示を再開させるステップと、
前記画像ミュート状態に移行してから所定時間が経過した場合に、前記光源を消灯させるステップと、
前記光源を消灯させた状態で前記指示を受け付けた場合に、前記光源を点灯させて前記画像の表示を再開させるステップと、
を備えたことを特徴とする画像表示装置の制御方法。
【発明の詳細な説明】
【技術分野】
【０００１】
本発明は、光源から射出される光を変調して形成した画像を表示する画像表示装置及びその制御方法に関する。
【背景技術】
【０００２】
光源から射出された光を変調して画像を形成する画像表示装置（例えば、プロジェクタ）において、画像の表示を一時的に停止させる画像ミュート機能を備えたものが知られている（例えば、特許文献１参照）。この画像ミュート機能は、例えば、画像を表示させながらプレゼンテーションを行っている際に、ファイルを切り替える過程を聴衆に見せたくない場合や、聴衆を発表者の説明に集中させたい場合などに利用されている。特許文献１に記載の画像表示装置では、ユーザは、ユーザインターフェイスを介して画像ミュートを指示することにより、通常の画像の代わりに黒色画像等を表示させることが可能になっている。また、ユーザは、ユーザインターフェイスを介して画像ミュートの解除を指示することにより、通常の画像が表示される状態に復帰させることができる。
【０００３】
多くの画像表示装置では、画像ミュートが解除された際に画像の表示を即座に再開できるよう、画像ミュートの状態でも光源を点灯させたままになっている。この場合、画像ミュートの状態であっても、それが長時間継続すると多くの電力を消費してしまうため、画像ミュートの状態に移行してから所定時間が経過した場合に自動的に電源をオフ状態（光源が消灯した状態）にする自動電源オフ機能を備えたものが知られている。
【０００４】
【特許文献１】特開２００３−２８００８７号公報
【発明の開示】
【発明が解決しようとする課題】
【０００５】
自動電源オフ機能によりオフ状態となった後で画像の表示を行うためには、電源をオンにするための操作を行わなければならない。しかしながら、画像ミュートの状態も電源オフの状態も、通常の画像が表示されない点で共通するため、画像ミュートの状態から自動電源オフ機能によってオフ状態に移行したことに気付かない場合があった。このとき、画像の表示を再開させようとして画像ミュートの解除を指示しても、指示が受け付けられずに画像の表示を再開させることができないため、ユーザは困惑してしまうことになる。
【課題を解決するための手段】
【０００６】
本発明は、上述の課題の少なくとも一部を解決するためになされたものであり、以下の形態又は適用例として実現することが可能である。
【０００７】
［適用例１］本適用例に係る画像表示装置は、光源から射出される光を変調して形成した画像を表示する表示部と、前記表示部の表示状態を、前記光源を点灯させたまま前記画像の表示を停止させた画像ミュート状態に移行させる第１の表示停止部と、前記画像ミュート状態において前記画像の表示を再開させるための指示を受け付ける入力操作部と、前記画像ミュート状態において前記入力操作部が前記指示を受け付けた場合に、前記画像の表示を再開させる第１の表示復帰部と、前記画像ミュート状態に移行してから所定時間が経過した場合に、前記光源を消灯させる第２の表示停止部と、前記第２の表示停止部が前記光源を消灯させた状態で前記入力操作部が前記指示を受け付けた場合に、前記光源を点灯させて前記画像の表示を再開させる第２の表示復帰部と、を備えたことを特徴とする。
【０００８】
この画像表示装置によれば、第１の表示停止部が光源を点灯させたまま画像の表示を停止させている画像ミュート状態、及び第２の表示停止部が光源を消灯させた状態のいずれの状態であっても、入力操作部に対して同一の指示を行うことによって画像表示を再開することが可能であるため、ユーザを困惑させずに済む。
【０００９】
［適用例２］上記適用例に係る画像表示装置において、前記第２の表示停止部は、前記光源を消灯させるとともに当該画像表示装置の動作状態をスタンバイ状態に移行させ、前記第２の表示復帰部は、前記光源を点灯させるとともに前記動作状態をオン状態に移行させることが望ましい。
【００１０】
この画像表示装置によれば、画像ミュート状態に移行してから所定時間が経過した場合に、第２の表示停止部が、光源を消灯させるとともに動作状態をスタンバイ状態に移行させるため、光源のみを消灯させる場合に比べて電力の消費を抑制することが可能となる。
【００１１】
［適用例３］上記適用例に係る画像表示装置において、情報を記憶する記憶部をさらに備え、前記第２の表示停止部は、前記動作状態を前記スタンバイ状態に移行させる際に、前記画像ミュート状態に移行してから所定時間が経過したことに基づいて前記スタンバイ状態に移行させる旨を表す自動オフ情報を前記記憶部に記憶させ、前記第２の表示復帰部は、前記記憶部に前記自動オフ情報が記憶されている場合に前記オン状態に移行させることが望ましい。
【００１２】
この画像表示装置によれば、第２の表示復帰部は、記憶部に自動オフ情報が記憶されている場合、即ち画像ミュート状態に移行してから所定時間が経過したことに基づいてスタンバイ状態に移行した場合にオン状態に移行させるため、他の要因でスタンバイ状態に移行した場合には、入力操作部に対して指示を行ってもオン状態に移行しない。このため、誤って入力操作部に指示を行ってしまった場合に、不用意にオン状態になってしまうことを防ぐことが可能となる。
【００１３】
［適用例４］本適用例に係る画像表示装置の制御方法は、光源から射出される光を変調して形成した画像を表示する画像表示装置の制御方法であって、前記画像表示装置の表示状態を、前記光源を点灯させたまま前記画像の表示を停止させた画像ミュート状態に移行させるステップと、前記画像ミュート状態において前記画像の表示を再開させるための指示を受け付けるステップと、前記画像ミュート状態において前記指示を受け付けた場合に、前記画像の表示を再開させるステップと、前記画像ミュート状態に移行してから所定時間が経過した場合に、前記光源を消灯させるステップと、前記光源を消灯させた状態で前記指示を受け付けた場合に、前記光源を点灯させて前記画像の表示を再開させるステップと、を備えたことを特徴とする。
【００１４】
この画像表示装置の制御方法によれば、光源を点灯させたまま画像の表示を停止させた画像ミュート状態、及び光源を消灯させた状態のいずれの状態であっても、同一の指示を行うことによって画像表示を再開することが可能であるため、ユーザを困惑させずに済む。
【００１５】
また、上述した画像表示装置及びその制御方法が画像表示装置に備えられたコンピュータ（ＣＰＵ）を用いて構築されている場合には、上記形態及び上記適用例は、その機能を実現するためのプログラム、或いは当該プログラムを前記コンピュータで読み取り可能に記録した記録媒体等の態様で構成することも可能である。記録媒体としては、フレキシブルディスクやＣＤ−ＲＯＭ、光磁気ディスク、ＩＣカード、ＲＯＭカートリッジ、パンチカード、バーコード等の符号が印刷された印刷物、画像表示装置の内部記憶装置（ＲＡＭやＲＯＭ等のメモリ）、及び外部記憶装置等、前記コンピュータが読み取り可能な種々の媒体を利用することができる。
【発明を実施するための最良の形態】
【００１６】
以下、画像表示装置の実施形態として、入力される画像情報に基づく画像（入力画像）を投写して、スクリーンや壁面等にこの入力画像を表示するプロジェクタについて説明する。本実施形態のプロジェクタは、ユーザの指示に応じて入力画像の表示を一時的に停止させる画像ミュート機能を備えるとともに、画像ミュート機能によって表示が一時的に停止した状態（画像ミュート状態）が所定時間継続した場合に、自動的に電源をオフにする自動電源オフ機能を備えている。
【００１７】
図１は、本実施形態のプロジェクタの概略構成を示すブロック図である。
図１に示すように、プロジェクタ１は、画像投写部１０、制御部２０、記憶部２１、操作パネル２２、リモコン２３、操作信号受信部２４、入力端子群２５、入力ソース選択部２６、画像処理部２７、電源回路２８、光源制御部２９、ＬＥＤ表示部３０等で構成されている。
【００１８】
画像投写部１０は、光源１１、光変調装置としての３つの液晶ライトバルブ１２Ｒ，１２Ｇ，１２Ｂ、投写光学系としての投写レンズ１３、ライトバルブ駆動部１４等を含んでいる。画像投写部１０は、表示部に相当するものであり、光源１１から射出された光を、液晶ライトバルブ１２Ｒ，１２Ｇ，１２Ｂで変調して画像光を形成し、この画像光を投写レンズ１３から投写することによってスクリーンＳＣ等に画像を表示する。
【００１９】
光源１１は、超高圧水銀ランプやメタルハライドランプ等からなる放電型の光源ランプ１１ａと、光源ランプ１１ａが放射した光を液晶ライトバルブ１２Ｒ，１２Ｇ，１２Ｂ側に反射するリフレクタ１１ｂとを含んで構成されている。光源１１から射出された光は、図示しないインテグレータ光学系によって輝度分布が略均一な光に変換され、図示しない色分離光学系によって光の３原色である赤色（Ｒ）、緑色（Ｇ）、青色（Ｂ）の各色光成分に分離された後、それぞれ液晶ライトバルブ１２Ｒ，１２Ｇ，１２Ｂに入射する。
【００２０】
液晶ライトバルブ１２Ｒ，１２Ｇ，１２Ｂは、一対の透明基板間に液晶が封入された液晶パネル等によって構成される。液晶ライトバルブ１２Ｒ，１２Ｇ，１２Ｂには、マトリクス状に配列された複数の画素が形成されており、液晶に対して画素毎に駆動電圧を印加可能になっている。ライトバルブ駆動部１４が、入力される画像情報に応じた駆動電圧を各画素に印加すると、各画素は、画像情報に応じた光透過率に設定される。このため、光源１１から射出された光は、この液晶ライトバルブ１２Ｒ，１２Ｇ，１２Ｂを透過することによって変調され、画像情報に応じた画像光が色光毎に形成される。形成された各色の画像光は、図示しない色合成光学系によって画素毎に合成されてカラー画像を表す画像光となった後、投写レンズ１３によってスクリーンＳＣ等に拡大投写される。
【００２１】
制御部２０は、ＣＰＵ（Central Processing Unit）や、各種データ等の一時記憶に用いられるＲＡＭ（Random Access Memory）等を備え、記憶部２１に記憶されている制御プログラムに従って動作することによりプロジェクタ１の動作を統括制御する。つまり、制御部２０は、記憶部２１とともにコンピュータとして機能する。また、制御部２０には、時間の計測を行う計時部としてのタイマ２０ａが備えられている。
【００２２】
記憶部２１は、マスクＲＯＭ（Read Only Memory）や、フラッシュメモリ、ＦｅＲＡＭ（Ferroelectric RAM：強誘電体メモリ）等の不揮発性のメモリにより構成されている。記憶部２１には、プロジェクタ１の動作を制御するための制御プログラムや、プロジェクタ１の動作条件等を規定する各種設定データ等が記憶されている。
【００２３】
操作パネル２２及びリモコン２３は、ユーザからの入力操作を受け付ける入力操作部に相当するものであり、ユーザがプロジェクタ１に対して各種指示を行うための複数の操作キーを備えている。操作パネル２２及びリモコン２３が備える操作キーとしては、電源のオン・オフを切り替えるための「電源キー」、入力ソースを切り替えるための「入力ソース切替キー」、画像の表示を一時的に停止させたり再開させたりするための「ミュートキー」等がある。ユーザが操作パネル２２の各種操作キーを操作すると、操作パネル２２は、ユーザの操作内容に応じた操作信号を制御部２０に出力する。また、ユーザがリモコン２３の各種操作キーを操作すると、リモコン２３は、ユーザの操作内容に応じた赤外線の操作信号を発し、操作信号受信部２４がこれを受信して制御部２０に伝達する。
【００２４】
入力端子群２５は、ビデオ再生装置やパーソナルコンピュータ等、図示しない外部の画像供給装置から、各種形式の画像情報を入力可能な複数の入力端子２５ａを備えている。各入力端子２５ａに入力された画像情報は、入力ソース選択部２６に出力される。
【００２５】
入力ソース選択部２６は、複数の入力端子２５ａのうち、制御部２０の指示に基づく１つの入力端子２５ａを選択し、この入力端子２５ａに入力される画像情報を画像処理部２７に出力する。ユーザが、リモコン２３に備わる入力ソース切替キーを操作して所望の入力端子２５ａを指定すると、制御部２０は、この入力端子２５ａに入力されている画像情報が画像処理部２７に出力されるよう、入力ソース選択部２６に指示をする。
【００２６】
画像処理部２７は、入力ソース選択部２６から入力される各種形式の画像情報を、液晶ライトバルブ１２Ｒ，１２Ｇ，１２Ｂの各画素の階調を表す画像情報に変換する。ここで、変換された画像情報は、Ｒ，Ｇ，Ｂの色光別になっており、各液晶ライトバルブ１２Ｒ，１２Ｇ，１２Ｂのすべての画素に対応する複数の画素値によって構成されている。画素値とは、対応する画素の光透過率を定めるものであり、この画素値によって、各画素から射出する光の強弱（階調）が規定される。
【００２７】
さらに、画像処理部２７は、制御部２０の指示に基づいて、変換した画像情報に対して、明るさ、コントラスト、シャープネス、色合い等を調整するための画質調整処理等を行い、処理後の画像情報（入力画像を表す画像情報）をライトバルブ駆動部１４に出力する。また、画像処理部２７は、制御部２０の指示に基づいて、すべての画素の光透過率が最小となるように、すべての画素値を最小値（０）に設定する処理を行うことができる。この場合、ライトバルブ駆動部１４には、黒色の無地画像を表す画像情報が出力される。このように、画像処理部２７は、入力画像を表す画像情報を出力する状態と、黒色の無地画像を表す画像情報を出力する状態とを、制御部２０の指示に応じて切り替えることができる。
【００２８】
ライトバルブ駆動部１４が、画像処理部２７から入力される画像情報に従って液晶ライトバルブ１２Ｒ，１２Ｇ，１２Ｂを駆動すると、液晶ライトバルブ１２Ｒ，１２Ｇ，１２Ｂは、画像情報に応じた画像光を形成し、この画像光が投写レンズ１３からスクリーンＳＣに投写される。
【００２９】
電源回路２８には、外部からＡＣ１００Ｖ等の商用電源が供給される。電源回路２８は、商用電源（交流電源）を所定の電圧の直流電源に変換するとともに、プロジェクタ１の各部に電力を供給する。なお、制御部２０は、電源回路２８から電力の供給を受けて動作している間、電源回路２８に指示をして、画像の投写に必要な電力（動作電力）の供給と停止とを切り替えることができる。
【００３０】
光源制御部２９は、制御部２０の指示に基づいて、光源１１に対する電力の供給と停止とを制御し、光源１１の点灯及び消灯を切り替える。
【００３１】
ＬＥＤ表示部３０は、１つ或いは複数のＬＥＤ（発光ダイオード）からなるインジケータであり、制御部２０の指示に基づいてその表示状態を切り替えることにより、ユーザにプロジェクタ１の動作状態（オン状態やスタンバイ状態等）を報知する。なお、ＬＥＤ表示部３０は、その表示状態、即ち点灯、点滅、消灯、発光色等を適宜切り替えることによって、多数の動作状態を表すことが可能になっている。
【００３２】
次に、本実施形態のプロジェクタ１の動作について説明する。
プロジェクタ１に商用電源が供給されると、電源回路２８は、制御部２０、記憶部２１、操作パネル２２、操作信号受信部２４、ＬＥＤ表示部３０に電力（スタンバイ電力）の供給を行い、制御部２０は、この電力供給を受けて、制御プログラムに従った動作を開始する。商用電源が供給された直後には、プロジェクタ１は、スタンバイ状態（オフ状態ともいう）であり、この状態では、制御部２０は、操作パネル２２やリモコン２３の電源キーに対する操作（オン操作）を監視する。そして、このオン操作を検知すると、制御部２０は、電源回路２８に指示をして動作電力の供給を開始させてプロジェクタ１をオン状態とするとともに、光源制御部２９に指示をして光源１１を点灯させる等の必要な初期動作を行う。この結果、画像供給装置から入力される画像情報に応じた画像（入力画像）が画像投写部１０から投写される。このように、入力画像が表示される状態を、本明細書では、通常表示状態と呼ぶ。
【００３３】
通常表示状態では、ユーザは、操作パネル２２或いはリモコン２３に備わるミュートキーを操作することにより、入力画像の表示を一時的に停止させた状態に移行させることができる。この状態は、光源１１を点灯させたまま黒色の無地画像を表示させた状態であり、本明細書では、この状態を画像ミュート状態と呼ぶ。ミュートキーが操作されて画像ミュート状態となった後、ユーザが再度ミュートキーを操作すると、画像ミュート状態は解除されて通常表示状態に復帰し、入力画像の表示が再開する。一方、画像ミュート状態において、ミュートキーが操作されずに所定時間が経過した場合には、プロジェクタ１は、自動電源オフ機能によってスタンバイ状態に移行する。
【００３４】
図２は、オン状態の通常表示状態でミュートキーが操作された際のプロジェクタ１の動作を説明するためのフローチャートである。通常表示状態において操作パネル２２或いはリモコン２３がミュートキーの操作を受け付けると、制御部２０は、図２に示すフローに従って動作する。
【００３５】
図２に示すように、ステップＳ１０１では、制御部２０は、画像処理部２７に指示をして、黒色の無地画像を表す画像情報を出力させて、入力画像の表示を停止させる。画像処理部２７が、この指示に応じて、すべての画素値を最小値（０）に設定した画像情報をライトバルブ駆動部１４に出力すると、画像投写部１０から光がほとんど照射されない状態、即ち画像投写部１０がスクリーンＳＣに黒色の無地画像を表示させた状態（画像ミュート状態）となる。
【００３６】
ステップＳ１０２では、制御部２０は、画像ミュート状態の継続時間を測定するために、タイマ２０ａによる計時を開始する。
【００３７】
ステップＳ１０３では、制御部２０は、操作パネル２２或いはリモコン２３に備わるミュートキーが再度操作されたか否かを判断する。この結果、ミュートキーが操作された場合にはステップＳ１０５に移行し、ミュートキーが操作されていない場合にはステップＳ１０４に移行する。
【００３８】
ミュートキーが操作されずにステップＳ１０４に移行した場合には、制御部２０は、タイマ２０ａによる計時結果に基づいて、画像ミュート状態に移行してから所定時間Ｔ１（例えば、３０分）が経過したか否か、即ち画像ミュート状態の継続時間が所定時間Ｔ１に達したか否かを判断する。この結果、所定時間Ｔ１に達した場合にはステップＳ１０７に移行する。一方、所定時間Ｔ１に達していない場合にはステップＳ１０３に戻り、ミュートキーが操作されるか、画像ミュート状態の継続時間が所定時間Ｔ１に達するまでステップＳ１０３，Ｓ１０４を繰り返す。
【００３９】
ステップＳ１０３においてミュートキーが操作されてステップＳ１０５に移行した場合には、制御部２０は、ステップＳ１０２で開始した計時を停止し、続くステップＳ１０６では、画像処理部２７に指示をして入力画像の表示を再開させて処理を終了する。画像処理部２７が、この指示を受けて入力画像を表す画像情報をライトバルブ駆動部１４に出力すると、スクリーンＳＣには入力画像が表示され、通常表示状態に復帰する。
【００４０】
また、ステップＳ１０４において画像ミュート状態の継続時間が所定時間Ｔ１に達した場合には、制御部２０は、自動電源オフ機能によってプロジェクタ１の動作状態をスタンバイ状態に移行させる。ここで、本実施形態のプロジェクタ１は、何らかの要因によってオン状態からスタンバイ状態に移行する際に、その要因を表す要因情報を記憶部２１に記憶するようになっている。このため、ステップＳ１０７では、制御部２０は、画像ミュート状態が所定時間継続したことに基づいて自動電源オフ機能によりスタンバイ状態に移行させる旨を表す情報（自動オフ情報）を要因情報として記憶部２１に記憶（保存）する。なお、本実施形態のプロジェクタ１は、上記の要因以外に、電源キーが操作（オフ操作）された場合や、図示しない異常検出部が内部異常（例えば、高温異常等）を検出した場合等にオン状態からスタンバイ状態に移行するようになっており、制御部２０は、これらの場合にも、スタンバイ状態への移行に先立ってそれぞれの要因を表す要因情報を記憶部２１に記憶する。
【００４１】
ステップＳ１０８では、制御部２０は、光源制御部２９に指示をして光源１１を消灯させる等の必要な終了動作を行い、続くステップＳ１０９では、電源回路２８に指示をして動作電力の供給を停止させ、プロジェクタ１をスタンバイ状態に移行させて処理を終了する。
【００４２】
上述したように、スタンバイ状態では、制御部２０は、電源キーの操作を監視しており、ユーザは、電源キーをオン操作することによってプロジェクタ１をオン状態に移行させることができる。さらに、本実施形態の制御部２０は、スタンバイ状態においてミュートキーの操作をも監視しており、前回のオン状態のときに自動電源オフ機能によってスタンバイ状態に移行した場合には、ミュートキーを操作することによってもオン状態に移行させることが可能になっている。
【００４３】
図３は、スタンバイ状態でミュートキーが操作された際のプロジェクタ１の動作を説明するためのフローチャートである。スタンバイ状態において操作パネル２２或いはリモコン２３がミュートキーの操作を受け付けると、制御部２０は、図３に示すフローに従って動作する。
【００４４】
図３に示すように、ステップＳ２０１では、制御部２０は、記憶部２１から要因情報を読み出し、ステップＳ２０２では、読み出した要因情報が自動オフ情報であるか否かを判断する。この結果、要因情報が自動オフ情報である場合、即ち、前回のオン状態において画像ミュート状態が所定時間継続したためにスタンバイ状態に移行した場合にはステップＳ２０３に移行し、要因情報が自動オフ情報でない場合には、制御部２０は、プロジェクタ１をスタンバイ状態に維持したまま処理を終了する。
【００４５】
ステップＳ２０３に移行した場合には、制御部２０は、電源回路２８に指示をして動作電力の供給を開始させて、プロジェクタ１をオン状態に移行させる。その後、ステップＳ２０４では、制御部２０は、光源制御部２９に指示をして光源１１を点灯させる等の必要な初期動作を行い、続くステップＳ２０５では、画像処理部２７に指示をして入力画像を表示させて処理を終了する。画像処理部２７が、この指示を受けて入力画像を表す画像情報をライトバルブ駆動部１４に出力すると、スクリーンＳＣには入力画像が表示され、通常表示状態となる。
【００４６】
以上説明したように、本実施形態のプロジェクタ１によれば、以下の効果を得ることができる。
（１）本実施形態のプロジェクタ１によれば、光源１１を点灯させたまま入力画像の表示を停止させている画像ミュート状態の場合でも、自動電源オフ機能によってスタンバイ状態に移行している場合でも、ミュートキーを操作することによって入力画像の表示を再開することが可能であるため、ユーザを困惑させずに済む。
【００４７】
（２）本実施形態のプロジェクタ１によれば、画像ミュート状態に移行してから所定時間Ｔ１が経過した場合に、光源１１を消灯させるとともにスタンバイ状態に移行させるため、光源１１のみを消灯させる場合に比べて電力の消費を抑制することが可能となる。
【００４８】
（３）本実施形態のプロジェクタ１によれば、スタンバイ状態でミュートキーが操作された際には、記憶部２１に自動オフ情報が記憶されている場合にのみオン状態に移行するため、自動電源オフ機能以外の要因によってスタンバイ状態に移行した場合には、ミュートキーが操作されてもオン状態に移行しない。このため、スタンバイ状態においてユーザが誤ってミュートキーを操作してしまった場合に、不用意にオン状態になってしまうことを防ぐことが可能となる。
【００４９】
なお、本実施形態において、ステップＳ１０１を実行して画像ミュート状態に移行させる際の制御部２０が、第１の表示停止部に相当し、ステップＳ１０６を実行して入力画像の表示を再開させる際の制御部２０が、第１の表示復帰部に相当する。また、ステップＳ１０７〜Ｓ１０９を実行して、自動オフ情報の保存、光源の消灯、及びスタンバイ状態への移行を行う際の制御部２０が、第２の表示停止部に相当し、ステップＳ２０１〜Ｓ２０５を実行して、読み出した要因情報が自動オフ情報である場合に、オン状態への移行、光源の点灯、及び入力画像の表示を行う制御部２０が、第２の表示復帰部に相当する。
【００５０】
（変形例）
また、前記実施形態は、以下のように変更してもよい。
前記実施形態では、画像ミュート状態において黒色の無地画像を表示するようにしているが、これに限定されず、他の画像を表示するようにしてもよい。
【００５１】
前記実施形態では、光変調装置として、透過型の液晶ライトバルブ１２Ｒ，１２Ｇ，１２Ｂを用いているが、反射型の液晶ライトバルブ等、反射型の光変調装置を用いることも可能である。また、入射した光の射出方向を、画素としてのマイクロミラー毎に制御することにより、光源から射出される光を変調する微小ミラーアレイデバイス等を用いることもできる。
【００５２】
前記実施形態では、光源１１は、放電型の光源ランプ１１ａによって構成されているが、ＬＥＤ（Light Emitting Diode：発光ダイオード）光源等の固体光源や、その他の光源を用いることもできる。
【００５３】
前記実施形態では、画像表示装置として、光源１１から射出された光を変調して投写するプロジェクタ１を例にして説明しているが、透過型のスクリーンを一体的に備えたリアプロジェクタ、或いは、光源としてバックライトを備えた液晶ディスプレイ等に適用することも可能である。
【図面の簡単な説明】
【００５４】
【図１】プロジェクタの概略構成を示すブロック図。
【図２】オン状態でミュートキーが操作された際のプロジェクタの動作を説明するためのフローチャート。
【図３】スタンバイ状態でミュートキーが操作された際のプロジェクタの動作を説明するためのフローチャート。
【符号の説明】
【００５５】
１…プロジェクタ、１０…画像投写部、１１…光源、１１ａ…光源ランプ、１１ｂ…リフレクタ、１２Ｒ，１２Ｇ，１２Ｂ…液晶ライトバルブ、１３…投写レンズ、１４…ライトバルブ駆動部、２０…制御部、２０ａ…タイマ、２１…記憶部、２２…操作パネル、２３…リモコン、２４…操作信号受信部、２５…入力端子群、２５ａ…入力端子、２６…入力ソース選択部、２７…画像処理部、２８…電源回路、２９…光源制御部、３０…ＬＥＤ表示部、ＳＣ…スクリーン。
【図１】
2009042341.tif 000003
【図２】
2009042341.tif 000004
【図３】
2009042341.tif 000005